(57)【要約】      （修正有）【課題】陳列商品を正面壁面に斜めか鉛直に立て置きして、その両側部を倒れないように確実に保持し且つ、その陳列商品を容易に取り外し及び元の立て掛けや、立て置き状態に直すことを迅速簡単に可能にした簡単構造の商品陳列ラックを提供する。【解決手段】正面壁面１０１に複数の水平棚１０２−１〜４を平行に配置した商品陳列ラックにおいて、陳列商品の下端部を前記水平棚１０２−１〜４に載置し、前記正面壁面１０１に斜めか鉛直に立てた陳列商品に対して、その両側部に相当する正面壁面部１０１に、一対のエッジピース２００を対向配置し、前記一対のエッジピース２００は、前記正面壁面１０１に直角に装着する仕切りピース部２０１と、前記仕切りピース部２０１の前部に設けられ書籍のエッジ部の前面を押さえ又は飛び出しを防止するストッパーピース２０２部とからなることを特徴とする商品陳列ラック。【選択図】図１
0003196716.tif 000002
【実用新案登録請求の範囲】
【請求項１】
正面壁面に複数の水平棚を平行に配置した商品陳列ラックにおいて、陳列商品の下端部を前記水平棚に載置し、前記正面壁面に斜めか鉛直に立てた陳列商品に対して、その両側部に相当する正面壁面部に、一対のエッジピースを対向配置し、前記一対のエッジピースは、前記正面壁面に直角に装着する仕切りピース部と、前記仕切りピース部の前部に設けられ書籍のエッジ部の前面を押さえ又は飛び出しを防止するストッパーピース部とからなることを特徴とする商品陳列ラック。
【考案の詳細な説明】
【技術分野】
【０００１】  本考案は、タイトルを正面にした本、書籍、パンフレット、カタログ或いは、ＤＶＤ、レコード、ゲーム、ハガキ・封筒・ノート等の文房具、薬品、化粧品、酒類、お菓子、洋服、干物、各種贈答品などのケース入り商品或いはケースなし商品、各種フィギュア・マスコット、クラッチバックなどの陳列商品を陳列する書店、文具店、レコード店、化粧店、薬局店、酒店、楽器店、ゲーム店、贈答品店、菓子店、洋品店、雑貨店等々の商店やデパート、コンビニエンスストアー等で、タイトルを正面にするなどして正面壁面に斜めか鉛直に立て置きして、その両側部を倒れないように確実に保持し且つ、その陳列商品を容易に取り外し及び元の立て掛けや、立て置き状態に直すことを迅速簡単に可能にした簡単構造の商品陳列ラックに関するものである。
【背景技術】
【０００２】前記陳列商品の両側部を倒れないように保持する前記商品陳列ラックにおける上記商品の陳列姿勢の保持手段は、従来、倒れや落下防止の機能を含めて、本の収納部の前方の全長に立ち上がり部を形成したもの、棚面に突起物を設けたもの、或いは棚の入口や下部に棒状、紐状、板状の防護フェンスを橋渡ししたものが多い。他に本の下半分を収容し上方取り外し自在にした或いは前後に傾動可能にした防護ボックス等が知られている。【０００３】  前記防護フェンスの場合は、高さを一定に調節しておき陳列商品の前後傾斜動による倒れを防止するが本の取り出し及び元の状態に直すにはフェンスが障害になる。またフェンスとの接触も多く損傷を免れない。また左右の動きに対しては抑止効果がなく、隣接の商品同士の位置干渉による損傷が多くまた取り出し及び元の状態に直すには煩雑で時間のかかる作業を伴うわりには、整理整頓状態の長時間保持が難しい。
また防護ボックスの場合は、ボックスからの商品の取り出し及び元の状態に直すには防護フェンスに比し大きな煩雑さをともない時間のかかる作業となる。
【考案の概要】
【考案が解決しようとする課題】
【０００４】  本考案は、タイトルを正面にして、斜めか鉛直に立て置きした陳列商品について、その両側部を倒れないように確実に保持し且つ、容易に取り外し及び元の立て掛けや立て置き状態に直すことを迅速簡単に可能にした簡単構造の商品陳列ラックを提供するものである。
【課題を解決するための手段】
【０００５】  本考案の特徴は次の（１）〜（４）に紹介の通りである。
（１）、正面壁面に複数の水平棚を平行に配置した商品陳列ラックにおいて、下端部を前記水平棚の上面に載置しタイトルを正面にし、前記正面壁面に斜めか鉛直に立て掛けた陳列商品に対してその両エッジ部（両側部）に相当する正面壁面部に、一対のエッジピースを対向配置して装着し、前記一対のエッジピースは、前記正面壁面に直角に装着する仕切りピース部と、前記仕切りピース部の前部に設けられ書籍のエッジ部の前面を押さえ又は飛び出しを防止するストッパーピース部とからなることを特徴とする商品陳列ラック。
（２）、前記エッジピースの形態は、仕切りピース部とストッパーピース部とは一体的に形成してよく、或いは組み合わせ可能に分割タイプにしてもよい。
（３）、組み合わせ可能な分割タイプのエッジピース例は、実施例１で紹介のように仕切りピース部の前部にコの字型嵌入口２０１−４を形成しこれにストッパーピース部２０２の中央部を嵌入して正面から見て十字型を形成するタイプにする。
（４）、また一体的に形成するエッジピース例は、実施例１で紹介の仕切りピース部とストッパーピース部を分割のエッジピースを図３（２）に示すように一体的に形成することもできる。また他の例は、帯体、断面円形や角形等の棒体、パイプ体等により成形し、上か
0003196716.tif 000003
（５）、更にこれらのガイドピースを商品陳列ラックの正面壁面に装着する方法としては、正面壁材を磁性体にしてのマグネット装着、正面壁材を木製にしての木ネジ装着、正面壁に雌ネジを嵌めての雄ネジ装着、正面壁に貫通孔を設けてのフック装着等、その他公知の適宜な装着具を採用することができる。
【考案の効果】
【０００６】  本考案の商品陳列ラックは、陳列商品が例えば書籍の場合は、表面がラック前面にそろい審美性、美観と視認性を維持する優れたものである。また本考案の商品陳列ラックは、図５に示すように一対のエッジピースの対向配置の際の両仕切りピース部とストッパーピース部の配置寸法関係は、特に具体的寸法関係に限定するものでないが、相対的に前記一対のエッジピースの各ストッパーピース部の先端部の対向間隔Ｌ１を書籍の幅寸法Ｌより短くし、各仕切りピース部の対向間隔Ｌ２をその書籍の幅寸法Ｌより長くし、一方のエッジピースの仕切りピース部から他方のエッジピースのストッパーピース部の先端部との対向間隔Ｌ３を書籍の幅寸法Ｌより大きくすることに設定すれば、より書籍の取り出しを、簡単容易に可能にすると共に、書籍の前倒れや前後左右の位置変動を確実に防止するため好ましい。
0003196716.tif 000004
用することができる。
【図面の簡単な説明】
【０００７】
【図１】本考案の実施例１における商品陳列ラック例の全体を示す鳥瞰図である。
【図２】図１に示す商品陳列ラックで使用のエッジピースの展開説明図である。
【図３】図１に示す商品陳列ラックで使用のエッジピースの詳細鳥瞰図（１）であり、この例を一体的に成形した例を（２）に示す。
【図４】図１に示す商品陳列ラックで使用のエッジピースの１セット（一対）のキットから商品陳列ラックに取り付けるまでの組込み順を示す説明図である。
【図５】一対のエッジピースの対向配置の際の両仕切りピース部とストッパーピース部の配置寸法関係を示す、説明図である。
【図６】
0003196716.tif 000005
【図７】Ｔ型のエッジピース例を示す平面図（上から見た図）（１）と、正面壁面１０１への装着構造例（２）を示す側面図である。
【図８】Ｙ型のエッジピース例を示す平面図（上から見た図）（１）と、正面壁面１０１への装着構造例（２）を示す側面図である。
【図９】
0003196716.tif 000006
【考案を実施するための最良の形態】
【０００８】  本考案を実施するための最良の形態を実施例１により詳細に紹介する。
【実施例１】
【０００９】  図１において、商品陳列ラック１００は、例えば、斜めか鉛直にした正面壁面１０１に複数の水平棚１０２−１〜１０２−４を平行に配置してある。
この各水平棚１０２−１〜１０２−４は書籍載置用でその各上区域を書籍類Ｂ１〜Ｂ４の陳列域とする。【００１０】  陳列域書籍類Ｂ１〜Ｂ４は、下端部を当該水平棚１０２−１〜１０２−４の上面に載置しタイトルを正面にして正面壁面１０１に沿って立て掛ける。
エッジピース２００は、陳列域１０１−１〜１０１−４における当該陳列書籍Ｂ１〜Ｂ４の各書籍に対して図４に示すように、書籍の両側部をそれぞれ挿出入自在に遊間状態で囲う少なくとも一対を正面壁面１０１に装着して対向配置する。【００１１】  前記一対のエッジピース２００は、図１〜図３に示すように、仕切りピース部２０１とストッパーピース部２０２とからなる。【００１２】  仕切りピース部２０１は、正面にコの字型嵌入口２０１−４を形成し、背面２０１−１を正面壁面１０１に対して直角に当接して、止めビス２０１−２を正面壁面１０１に埋設した雌螺子２０１−３に螺号装着する。雌螺子２０１−３はエッジピース２００の位置変更用に複数個設けると良い。【００１３】  この螺号装着法の他に、マグネットを背面２０１−１に固定して、正面壁面１０１の材質を磁性板にすれば仕切りピース部２０１は背面２０１−１のマグネットを正面壁面１０１に磁着装着させることができる。【００１４】  ストッパーピース部２０２は、平面形状を矩形状に形成して、その中央部を前記仕切りピース部２０１のコの字型嵌入口２０１−４に嵌入装着固定して仕切りピース部２０１の後部とにより、当該書籍Ｂ１〜Ｂ４のエッジ部をコの字状で囲う囲い部２０３を形成する。このコの字状の囲い部により当該書籍のエッジ部の前面を押さえ又は飛び出しを防止する。
ストッパーピース部２０２は、本例の矩形状の他に、書籍のエッジ側に凸状湾曲部を向けた楕円形や三日月形や半月形などでも良い。【００１５】  仕切りピース部２０１とストッパーピース部２０２との接合は、前記のように仕切りピース部２０１のコの字型嵌入口２０１−４に嵌入装着固定してよく、また図３の（２）に示すように一体型に固定連結してよい。
また図３の（１）においては、ストッパーピース部２０２の位置調整用に及び固定用に、仕切りピース部２０１に前後平行に一対の押さえ調整螺子３０１を設け、ストッパーピース部２０２の上面に前記押さえ調整螺子３０１の先端部を受けてストッパーピース部の位置を固定するガイド溝３０２を設けた調節型に連結してもよい。
これで押さえ調整螺子３０１を正転させてその先端を先端用ガイド溝３０２に圧接して押さえてストッパーピース部２０２の位置を固定し、押さえ調整螺子３０１を逆転させてその先端をガイド溝３０２から離脱させて、ストッパーピース部２０２の位置調節を行うのである。【００１６】  仕切りピース部２０１とストッパーピース部２０２は、図３の（１）と（２）に示すように、当該書籍Ｂ１〜Ｂ４との接触による損傷を防止するために接触可能性のある角部は、面取りして面取り部２０１ｍ、２０２ｍを形成してある。【００１７】  次に、エッジピース２００を商品陳列ラック１００の当該陳列域１０１−１〜１０１−４の当該書籍Ｂ１〜Ｂ４の各々に装着する１方法を図４と共に紹介する。
図４において、（１）は、一書籍に対して一対のエッジピース２００をセットにして箱（図示せず）入りしたものを示す。このセット状態は、平行関係に揃えた仕切りピース部２０１間にストッパーピース部２０２を並列して挟持させたものである。この（１）の状態から（２）に示すように仕切りピース部２０１にストッパーピース部２０２の二組に分ける。分けたエッジピース２００を当該陳列域の当該書籍の両エッジ部近傍に装着し、その後エッジピース２００のコの字型嵌入口２０１−４にストッパーピース部２０２を嵌入して（３）に示す状態にする。【００１８】  また、一対のエッジピース２００の対向配置の際の両仕切りピース部２０１とストッパーピース部２０２の配置寸法関係は、図５に示すように、前記一対のエッジピース２００−１，２００−２の各ストッパーピース部２０２−１，２０１−２の先端部の対向間隔Ｌ１を書籍の幅寸法Ｌより短くし、各仕切りピース部２０１−１，２０１−２の対向間隔Ｌ２をその書籍の幅寸法Ｌより長くし、一方のエッジピース２００−１の仕切りピース部２０１−１から他方のエッジピース２００−２のストッパーピース部２０２−２の先端部との対向間隔Ｌ３を書籍の幅寸法Ｌより大きくすることにより前記コの字囲い部２０３による書籍の前倒れや前後左右の位置変動を確実に防止しながら、書籍の取り出しは、簡単容易に取り出すことが出来るのである。【００１９】  前記一対のエッジピースは、実施例１の他に、図３の（２）に示す一体型化のエッジピー
0003196716.tif 000007
エッジピース２３０、図８の（１）〜（３）に示すＹ型のエッジピース２４０、図９の（１）（２）に示す
0003196716.tif 000008
【００２０】
0003196716.tif 000009
ーピース部２２２を一体成型連結し、仕切りピース部２２１の後端にフック部Ｆ１を設け、このフック部Ｆ１を正面壁面１０１の第一穴Ｆ４に通して掛け、先端Ｆ２を第一穴Ｆ４の裏側上
0003196716.tif 000010
である。【００２１】図７（１）と（２）に示すＴ型エッジピース２３０は、仕切りピース部２３１の先端にストッパーピース部２３２を連結し、仕切りピース部２３１の後端に雄ネジ２０１−２を固定し、この雄ネジ２０１−２を正面壁面１０１に設けた雌ネジ２０１−３に螺合して固定するのである。
図８の（１）と（２）に示すＹ型のエッジピース２４０は、仕切りピース部２４１とストッパーピース部２４２を一体成型し、仕切りピース部２４１の後端面にマグネットＭを設けて商品陳列ラック１００の正面壁面１０１に磁着装着させるのである。【００２２】図８の（１）〜（３）に示すＹ型エッジピース２４０は、仕切りピース部２４１の先端にストッパーピース部２４２を連結し、仕切りピース部２４１の後端に木螺子ｍｍを設けこれを正面壁面１０１に螺合して固定したもの（２）又は仕切りピース部２４１の後端にマグネットを連結して磁性板にした正面壁面１０１に磁着装着したもの（３）である。【００２３】
0003196716.tif 000011
ス２２０の変形例であり、金属帯で一体的に曲げ成形したもので、仕切りピース部２５１の先端にストッパーピース部２５２を連結し、仕切りピース部２５１の後端に鍵型の嵌め合い部２５３を形成し、この嵌め合い部２５３を正面壁面１０１の嵌穴ＫＧに勘合して連結固定するものである。嵌め合い部２５３と嵌穴ＫＧの代りに仕切りピース部２５１の後端を直角に曲げ加工してここを正面壁面１０１にボルトにより螺合連結する簡単構造にしてもよい。【００２４】  以上の各実施例において、各種エッジピースは、同一商品陳列ラックの表面壁面に適宜組み合わせて取り付けることが出来る。また表面壁面への各種取り付ける方法も、実施例相互間で適宜利用可能であること言うまでもない。
【産業上の利用可能性】
【００２４】  本考案の商品陳列ラックは、前記したように優れた作用効果を呈するため、タイトルを正面にしたタイトルを正面にした本、書籍、パンフレット、カタログ或いは、ＤＶＤ、レコード、ゲーム、ハガキ・封筒・ノート等の文房具、薬品、化粧品、酒類、お菓子、洋服、干物、各種贈答品などのケース入り商品或いはケースなし商品、各種フィギュア・マスコット、クラッチバックなどの陳列商品を陳列する書店、文具店、レコード店、化粧店、薬局店、酒店、楽器店、ゲーム店、贈答品店、菓子店、洋品店、雑貨店等々の商店やデパート、コンビニエンスストアー等々のラック陳列業界に貢献すること多大なものがある。
【符号の説明】
【００２５】ＢＳ：木螺子
ＭＧ：マグネット
１００：商品陳列ラック
１０１：正面壁面
１０１−１〜１０１−４：陳列域
１０２−１〜１０２−４：水平棚
Ｂ１〜Ｂ４：書籍類
２００、２１０、２２０、２３０、２４０、２５０：エッジピース
２０１、２１１、２２１、２３１、２４１、２５１：仕切りピース部
２０１ｍ：面取り部
２０１−４：コの字型嵌入口
２０１−１：仕切りピース部の背面
２０１−２：止めビス
２０１−３：雌螺子（タップ）
２０２、２１２、２３２、２４２，２５３：ストッパーピース部
２０２−１、２０２−２：押さえ螺子
２０２−３、２０２−４：先端用ガイド溝
２０２ｍ：面取り部
２０３：囲い部
２００−１，２００−２：一対のエッジピース
２０２−１，２０１−２：一対のストッパーピース部
３０１：押さえ調整螺子
３０２：ガイド溝
【図１】
0003196716.tif 000012
【図２】
0003196716.tif 000013
【図３】
0003196716.tif 000014
【図４】
0003196716.tif 000015
【図５】
0003196716.tif 000016
【図６】
0003196716.tif 000017
【図７】
0003196716.tif 000018
【図８】
0003196716.tif 000019
【図９】
0003196716.tif 000020
【手続補正書】
【提出日】平成26年11月13日(2014.11.13)
【手続補正１】
【補正対象書類名】明細書
【補正対象項目名】全文
【補正方法】変更
【補正の内容】
【考案の詳細な説明】
【技術分野】
【０００１】  本考案は、本、書籍、パンフレット、カタログ或いは、ＤＶＤ、ゲーム、化粧品、酒類、各種贈答品などのケース入り商品或いはケースなし商品などの陳列商品を、タイトルを正面にするなどして正面壁面に斜めか鉛直に立て置きして、その両側部を倒れないように確実に保持し且つ、その陳列商品を容易に取り外し及び元の立て掛けや、立て置き状態に直すことを迅速簡単に可能にした簡単構造の商品陳列ラックに関するものである。
【背景技術】
【０００２】前記陳列商品の両側部を倒れないように保持する前記商品陳列ラックにおける上記商品の陳列姿勢の保持手段は、従来、倒れや落下防止の機能を含めて、本の収納部の前方の全長に立ち上がり部を形成したもの、棚面に突起物を設けたもの、或いは棚の入口や下部に棒状、紐状、板状の防護フェンスを橋渡ししたものが多い。他に本の下半分を収容し上方取り外し自在にした或いは前後に傾動可能にした防護ボックス等が知られている。【０００３】  前記防護フェンスの場合は、高さを一定に調節しておき陳列商品の前後傾斜動による倒れを防止するが本の取り出し及び元の状態に直すにはフェンスが障害になる。またフェンスとの接触も多く損傷を免れない。また左右の動きに対しては抑止効果がなく、隣接の商品同士の位置干渉による損傷が多くまた取り出し及び元の状態に直すには煩雑で時間のかかる作業を伴うわりには、整理整頓状態の長時間保持が難しい。
また防護ボックスの場合は、ボックスからの商品の取り出し及び元の状態に直すには防護フェンスに比し大きな煩雑さをともない時間のかかる作業となる。
【考案の概要】
【考案が解決しようとする課題】
【０００４】  本考案は、タイトルを正面にして、斜めか鉛直に立て置きした陳列商品について、その両側部を倒れないように確実に保持し且つ、容易に取り外し及び元の立て掛けや立て置き状態に直すことを迅速簡単に可能にした簡単構造の商品陳列ラックを提供するものである。
【課題を解決するための手段】
【０００５】  本考案の特徴は次の（１）〜（４）に紹介の通りである。
（１）、正面壁面に複数の水平棚を平行に配置した商品陳列ラックにおいて、下端部を前記水平棚の上面に載置しタイトルを正面にし、前記正面壁面に斜めか鉛直に立て掛けた陳列商品に対してその両エッジ部（両側部）に相当する正面壁面部に、一対のエッジピースを対向配置して装着し、前記一対のエッジピースは、前記正面壁面に直角に装着する仕切りピース部と、前記仕切りピース部の前部に設けられ書籍のエッジ部の前面を押さえ又は飛び出しを防止するストッパーピース部とからなることを特徴とする商品陳列ラック。
（２）、前記エッジピースの形態は、仕切りピース部とストッパーピース部とは一体的に形成してよく、或いは組み合わせ可能に分割タイプにしてもよい。
（３）、組み合わせ可能な分割タイプのエッジピース例は、実施例１で紹介のように仕切りピース部の前部にコの字型嵌入口２０１−４を形成しこれにストッパーピース部２０２の中央部を嵌入して正面から見て十字型を形成するタイプにする。
（４）、また一体的に形成するエッジピース例は、実施例１で紹介の仕切りピース部とストッパーピース部を分割のエッジピースを図３（２）に示すように一体的に形成することもできる。また他の例は、帯体、断面円形や角形等の棒体、パイプ体等により成形し、上から見て図６と図９に示す変形Ｔ型、図７に示すＴ型、図８に示すＹ型等に成形しても良い。
（５）、更にこれらのガイドピースを商品陳列ラックの正面壁面に装着する方法としては、正面壁材を磁性体にしてのマグネット装着、正面壁材を木製にしての木ネジ装着、正面壁に雌ネジを嵌めての雄ネジ装着、正面壁に貫通孔を設けてのフック装着等、その他公知の適宜な装着具を採用することができる。
【考案の効果】
【０００６】  本考案の商品陳列ラックは、陳列商品が例えば書籍の場合は、表面がラック前面にそろい審美性、美観と視認性を維持する優れたものである。また本考案の商品陳列ラックは、図５に示すように一対のエッジピースの対向配置の際の両仕切りピース部とストッパーピース部の配置寸法関係は、特に具体的寸法関係に限定するものでないが、相対的に前記一対のエッジピースの各ストッパーピース部の先端部の対向間隔Ｌ１を書籍の幅寸法Ｌより短くし、各仕切りピース部の対向間隔Ｌ２をその書籍の幅寸法Ｌより長くし、一方のエッジピースの仕切りピース部から他方のエッジピースのストッパーピース部の先端部との対向間隔Ｌ３を書籍の幅寸法Ｌより大きくすることに設定すれば、より書籍の取り出しを、簡単容易に可能にすると共に、書籍の前倒れや前後左右の位置変動を確実に防止するため好ましい。
この一対のエッジピースの配置関係は、図６に示す実施例１の一体型の変形Ｔ型、図７に示すＴ型、図８に示すＹ型、図９に示す変形Ｔ型のエッジピースも同様に適用することができる。
【図面の簡単な説明】
【０００７】
【図１】本考案の実施例１における商品陳列ラック例の全体を示す鳥瞰図である。
【図２】図１に示す商品陳列ラックで使用のエッジピースの展開説明図である。
【図３】図１に示す商品陳列ラックで使用のエッジピースの詳細鳥瞰図（１）であり、この例を一体的に成形した例を（２）に示す。
【図４】図１に示す商品陳列ラックで使用のエッジピースの１セット（一対）のキットから商品陳列ラックに取り付けるまでの組込み順を示す説明図である。
【図５】一対のエッジピースの対向配置の際の両仕切りピース部とストッパーピース部の配置寸法関係を示す、説明図である。
【図６】変形Ｔ型のエッジピース例を示す平面図（上から見た図）（１）と、正面壁面１０１への装着構造例（２）を示す側面図である。
【図７】Ｔ型のエッジピース例を示す平面図（上から見た図）（１）と、正面壁面１０１への装着構造例（２）を示す側面図である。
【図８】Ｙ型のエッジピース例を示す平面図（上から見た図）（１）と、正面壁面１０１への装着構造例（２）を示す側面図である。
【図９】図６に示す変形Ｔ型のエッジピースを示す斜視説明図（１）と、正面壁面１０１への装着構造例（２）を示す側面図である。
【考案を実施するための最良の形態】
【０００８】  本考案を実施するための最良の形態を実施例１により詳細に紹介する。
【実施例１】
【０００９】  図１において、商品陳列ラック１００は、例えば、斜めか鉛直にした正面壁面１０１に複数の水平棚１０２−１〜１０２−４を平行に配置してある。
この各水平棚１０２−１〜１０２−４は書籍載置用でその各上区域を書籍類Ｂ１〜Ｂ４の陳列域とする。【００１０】  陳列域書籍類Ｂ１〜Ｂ４は、下端部を当該水平棚１０２−１〜１０２−４の上面に載置しタイトルを正面にして正面壁面１０１に沿って立て掛ける。
エッジピース２００は、陳列域１０１−１〜１０１−４における当該陳列書籍Ｂ１〜Ｂ４の各書籍に対して図４に示すように、書籍の両側部をそれぞれ挿出入自在に遊間状態で囲う少なくとも一対を正面壁面１０１に装着して対向配置する。【００１１】  前記一対のエッジピース２００は、図１〜図３に示すように、仕切りピース部２０１とストッパーピース部２０２とからなる。【００１２】  仕切りピース部２０１は、正面にコの字型嵌入口２０１−４を形成し、背面２０１−１を正面壁面１０１に対して直角に当接して、止めビス２０１−２を正面壁面１０１に埋設した雌螺子２０１−３に螺号装着する。雌螺子２０１−３はエッジピース２００の位置変更用に複数個設けると良い。【００１３】  この螺号装着法の他に、マグネットを背面２０１−１に固定して、正面壁面１０１の材質を磁性板にすれば仕切りピース部２０１は背面２０１−１のマグネットを正面壁面１０１に磁着装着させることができる。【００１４】  ストッパーピース部２０２は、平面形状を矩形状に形成して、その中央部を前記仕切りピース部２０１のコの字型嵌入口２０１−４に嵌入装着固定して仕切りピース部２０１の後部とにより、当該書籍Ｂ１〜Ｂ４のエッジ部をコの字状で囲う囲い部２０３を形成する。このコの字状の囲い部により当該書籍のエッジ部の前面を押さえ又は飛び出しを防止する。
ストッパーピース部２０２は、本例の矩形状の他に、書籍のエッジ側に凸状湾曲部を向けた楕円形や三日月形や半月形などでも良い。【００１５】  仕切りピース部２０１とストッパーピース部２０２との接合は、前記のように仕切りピース部２０１のコの字型嵌入口２０１−４に嵌入装着固定してよく、また図３の（２）に示すように一体型に固定連結してよい。
また図３の（１）においては、ストッパーピース部２０２の位置調整用に及び固定用に、仕切りピース部２０１に前後平行に一対の押さえ調整螺子３０１を設け、ストッパーピース部２０２の上面に前記押さえ調整螺子３０１の先端部を受けてストッパーピース部の位置を固定するガイド溝３０２を設けた調節型に連結してもよい。
これで押さえ調整螺子３０１を正転させてその先端を先端用ガイド溝３０２に圧接して押さえてストッパーピース部２０２の位置を固定し、押さえ調整螺子３０１を逆転させてその先端をガイド溝３０２から離脱させて、ストッパーピース部２０２の位置調節を行うのである。【００１６】  仕切りピース部２０１とストッパーピース部２０２は、図３の（１）と（２）に示すように、当該書籍Ｂ１〜Ｂ４との接触による損傷を防止するために接触可能性のある角部は、面取りして面取り部２０１ｍ、２０２ｍを形成してある。【００１７】  次に、エッジピース２００を商品陳列ラック１００の当該陳列域１０１−１〜１０１−４の当該書籍Ｂ１〜Ｂ４の各々に装着する１方法を図４と共に紹介する。
図４において、（１）は、一書籍に対して一対のエッジピース２００をセットにして箱（図示せず）入りしたものを示す。このセット状態は、平行関係に揃えた仕切りピース部２０１間にストッパーピース部２０２を並列して挟持させたものである。この（１）の状態から（２）に示すように仕切りピース部２０１にストッパーピース部２０２の二組に分ける。分けたエッジピース２００を当該陳列域の当該書籍の両エッジ部近傍に装着し、その後エッジピース２００のコの字型嵌入口２０１−４にストッパーピース部２０２を嵌入して（３）に示す状態にする。【００１８】  また、一対のエッジピース２００の対向配置の際の両仕切りピース部２０１とストッパーピース部２０２の配置寸法関係は、図５に示すように、前記一対のエッジピース２００−１，２００−２の各ストッパーピース部２０２−１，２０１−２の先端部の対向間隔Ｌ１を書籍の幅寸法Ｌより短くし、各仕切りピース部２０１−１，２０１−２の対向間隔Ｌ２をその書籍の幅寸法Ｌより長くし、一方のエッジピース２００−１の仕切りピース部２０１−１から他方のエッジピース２００−２のストッパーピース部２０２−２の先端部との対向間隔Ｌ３を書籍の幅寸法Ｌより大きくすることにより前記コの字囲い部２０３による書籍の前倒れや前後左右の位置変動を確実に防止しながら、書籍の取り出しは、簡単容易に取り出すことが出来るのである。【００１９】  前記一対のエッジピースは、実施例１の他に、図３の（２）に示す一体型化のエッジピース２１０、図６の（１）と（２）に示す変形Ｔ型のエッジピース２２０、図７の（１）と（２）に示すＴ型のエッジピース２３０、図８の（１）〜（３）に示すＹ型のエッジピース２４０、図９の（１）（２）に示すも変形Ｔ型等も同様に適用することができる。【００２０】図６（１）と（２）に示す変形Ｔ型エッジピース２２０は、棒状部材を曲げ加工したもので仕切りピース部２２１の先端にストッパーピース部２２２を曲げ加工して一体成型連結し、仕切りピース部２２１の後端にフック部Ｆ１を設け、このフック部Ｆを正面壁面１０１の第一穴Ｆ４に通して掛け、先端Ｆ２を第一穴Ｆ４の裏側上方に形
0003196716.tif 000021
である。【００２１】図７（１）と（２）に示すＴ型エッジピース２３０は、仕切りピース部２３１の先端にストッパーピース部２３２を連結し、仕切りピース部２３１の後端に雄ネジ２０１−２を固定し、この雄ネジ２０１−２を正面壁面１０１に設けた雌ネジ２０１−３に螺合して固定するのである。
図８の（１）と（２）に示すＹ型のエッジピース２４０は、仕切りピース部２４１とストッパーピース部２４２を一体成型し、仕切りピース部２４１の後端面にマグネットＭを設けて商品陳列ラック１００の正面壁面１０１に磁着装着させるのである。【００２２】図８の（１）〜（３）に示すＹ型エッジピース２４０は、仕切りピース部２４１の先端にストッパーピース部２４２を連結し、仕切りピース部２４１の後端に木螺子ｍｍを設けこれを正面壁面１０１に螺合して固定したもの（２）又は仕切りピース部２４１の後端にマグネットを連結して磁性板にした正面壁面１０１に磁着装着したもの（３）である。【００２３】
0003196716.tif 000022
で、仕切りピース部２５１の先端にストッパーピース部２５２を連結し、仕切りピース部２５１の後端に鍵型の嵌め合い部２５３を形成し、この嵌め合い部２５３を正面壁面１０１の嵌穴ＫＧに勘合して連結固定するものである。嵌め合い部２５３と嵌穴ＫＧの代りに仕切りピース部２５１の後端を直角に曲げ加工してここを正面壁面１０１にボルトにより螺合連結する簡単構造にしてもよい。【００２４】  以上の各実施例において、各種エッジピースを商品陳列ラックの表面壁面に取り付ける各種方法は、相互間において適用可能であること言うまでもない。
【産業上の利用可能性】
【００２４】  本考案の商品陳列ラックは、前記したように優れた作用効果を呈するため、タイトルを正面にした本、書籍、パンフレット、カタログ或いは、ＤＶＤ、ゲーム、化粧品、酒類、各種贈答品などのケース入り商品或いはケースなし商品などの陳列商品を陳列ラックに陳列する書店、文具商店、化粧店、酒店、音楽店、ゲーム店、贈答品店等々のラック陳列業界に貢献すること多大なものがある。
【符号の説明】
【００２５】ＢＳ：木螺子
ＭＧ：マグネット
１００：商品陳列ラック
１０１：正面壁面
１０１−１〜１０１−４：陳列域
１０２−１〜１０２−４：水平棚
Ｂ１〜Ｂ４：書籍類
２００、２１０、２２０、２３０、２４０、２５０：エッジピース
２０１、２１１、２２１、２３１、２４１、２５１：仕切りピース部
２０１ｍ：面取り部
２０１−４：コの字型嵌入口
２０１−１：仕切りピース部の背面
２０１−２：止めビス
２０１−３：雌螺子（タップ）
２０２、２１２、２３２、２４２，２５３：ストッパーピース部
２０２−１、２０２−２：押さえ螺子
２０２−３、２０２−４：先端用ガイド溝
２０２ｍ：面取り部
２０３：囲い部
２００−１，２００−２：一対のエッジピース
２０２−１，２０１−２：一対のストッパーピース部
３０１：押さえ調整螺子
３０２：ガイド溝
【手続補正書】
【提出日】平成27年1月23日(2015.1.23)
【手続補正１】
【補正対象書類名】明細書
【補正対象項目名】００２０
【補正方法】変更
【補正の内容】
【００２０】図６（１）と（２）に示す変形Ｔ型エッジピース２２０は、棒状部材を曲げ加工したもので仕切りピース部２２１の先端にストッパーピース部２２２を曲げ加工して一体成型連結し、仕切りピース部２２１の後端にフック部Ｆ１を設け、このフック部Ｆ１を正面壁面１０１の第一穴Ｆ４に通して掛け、先端Ｆ２を第一穴Ｆ４の裏側上方に形成した止め穴Ｆ３に挿入して変形Ｔ型エッジピース２２０の下降回動を阻止するタイプである。
【手続補正２】
【補正対象書類名】明細書
【補正対象項目名】００２３
【補正方法】変更
【補正の内容】
【００２３】図９（１）と（２）に示す変形Ｔ型のエッジピース２５０は、図６の（１）と（２）に示す変形Ｔ型エッジピース２２０の変形例であり、金属帯で一体的に曲げ成形したもので、仕切りピース部２５１の先端にストッパーピース部２５２を連結し、仕切りピース部２５１の後端に鍵型の嵌め合い部２５３を形成し、この嵌め合い部２５３を正面壁面１０１の嵌穴ＫＧに勘合して連結固定するものである。嵌め合い部２５３と嵌穴ＫＧの代りに仕切りピース部２５１の後端を直角に曲げ加工してここを正面壁面１０１にボルトにより螺合連結する簡単構造にしてもよい。